(57)【特許請求の範囲】
【請求項１】
液透過性の表面シート及び液保持性の吸収体を備える吸収性本体と、該吸収性本体の非肌当接面側に位置して該吸収性本体を固定している外装体とを備える使い捨ておむつであって、
前記吸収性本体は、その長手方向に沿う両側に一対の防漏カフを有し、
前記防漏カフは、腹側部及び背側部において、該防漏カフが前記吸収性本体の肌当接面側に接合されて接合部を形成している一方、股下部では、着用状態において起立するようになされており、
前記防漏カフの前記接合部は、おむつ幅方向の外方側の端部である外側接合部と、おむつ幅方向の内方側の端部である内側接合部とを有し、
前記防漏カフの前記内側接合部及び前記外側接合部が、接着剤による接着で前記表面シートに固定されており、
おむつ長手方向の端部域における肌当接面側に、前記吸収性本体の長手方向の端縁を含む端部域を覆い、且つ平面視において前記接合部の少なくとも一部と重なる、被覆シートが配されており、
前記被覆シートは、その股下部側に位置し且つおむつ幅方向に延びる端部域が、前記吸収性本体の肌当接面と非接合状態になっており、
前記防漏カフの前記接合部のうち、前記外側接合部が、前記被覆シートの股下部側に位置する端縁を越えて、股下部側に向けて延出しているとともに、前記内側接合部が、該被覆シートの該端縁を越えない位置に位置しており、
前記内側接合部を固定する前記接着剤の坪量を、前記外側接合部を固定する前記接着剤の坪量よりも高くした、使い捨ておむつ。
【請求項２】
前記外装体は、腹側部及び背側部に、おむつ幅方向に伸縮性を有する胴回りギャザーを有し、
腹側部及び背側部の少なくとも一方における前記胴回りギャザーは、該胴回りギャザーの少なくとも一部が平面視において前記吸収体と重なっており、
前記防漏カフの前記接合部は、前記吸収体上に位置している、請求項１に記載の使い捨ておむつ。
【請求項３】
前記防漏カフの前記接合部は、該防漏カフが、おむつ幅方向の内方側に向けて倒伏して前記吸収性本体の肌当接面に接合されて形成されており、
前記被覆シートは、前記端部域以外の領域がおむつ肌当接面と接合されており、それによって該被覆シートと、倒伏した前記防漏カフとが接合されている請求項１又は２に記載の使い捨ておむつ。
【請求項４】
前記外側接合部と前記内側接合部との間に非接合部が形成されている請求項１ないし３のいずれか一項に記載の使い捨ておむつ。
【請求項５】
前記内側接合部を固定する前記接着剤の坪量が３ｇ／ｍ２以上２５ｇ／ｍ２以下であり、
前記外側接合部を固定する前記接着剤の坪量が１ｇ／ｍ２以上２０ｇ／ｍ２以下であり、
両者の坪量差が１ｇ／ｍ２以上である、請求項１ないし４のいずれか一項に記載の使い捨ておむつ。
【発明の詳細な説明】
【技術分野】
【０００１】
本発明は使い捨ておむつに関する。
【背景技術】
【０００２】
使い捨ておむつの股下部における吸収体の両側に、長手方向に延びる弾性部材の収縮によって起立する防漏カフを設け、該防漏カフによっておむつの側部からの液の横漏れを防止する技術が知られている。また、おむつの長手方向の前後端部に、幅方向に延びる弾性部材の収縮によって起立する防漏カフを設け、該防漏カフによっておむつの前後端部からの液の漏れを防止する技術も知られている。例えば特許文献１には、おむつの前後端に、エンドフラップ部と吸収体とに跨がるとともに、両側のバリヤカフス間に跨がって、弾性伸縮性の腰部バリヤシートを配設した使い捨ておむつが記載されている。この腰部バリヤシートの伸縮力によって、腰部バリヤシートとエンドフラップ部との固着部分に腰バンドが形成される。また、腰部バリヤシート内縁側の非固着部分によってポケットが形成されている。
【０００３】
特許文献２には、外装シートの肌面側に吸収体が設けられ、この吸収体の両側に、尿等の横漏れを防止する立ち上がり帯材が設けられた使い捨てパンツが記載されている。外装シートの肌面側の後背部には、吸収体と立ち上がり帯材の後部分を覆うように親水性の漏れ防止用シートが立ち上がり可能に接合されている。この漏れ防止用シートと立ち上がり帯材とで囲まれた部分に、ポケットが形成される。
【先行技術文献】
【特許文献】
【０００４】
【特許文献１】特開平０７−１８４９５５号公報
【特許文献２】特開２００１−０３７８０９号公報
【発明の概要】
【発明が解決しようとする課題】
【０００５】
特許文献１に記載の腰部バリヤシートや、特許文献２に記載の漏れ防止用シートによれば、物品の前後方向に沿った液漏れがある程度は防止できる。そのためには、物品の着用者に着用された状態において、前記腰部バリヤシートや前記漏れ防止用シートが充分に起立することが必要である。しかし、これらの起立性は必ずしも充分とはいなかった。
【０００６】
したがって本発明の課題は使い捨ておむつの改良にあり、更に詳細にはおむつの前後方向に沿った液漏れを効果的に防止し得る使い捨ておむつを提供することにある。
【課題を解決するための手段】
【０００７】
本発明は、液透過性の表面シート及び液保持性の吸収体を備える吸収性本体と、該吸収性本体の非肌当接面側に位置して該吸収性本体を固定している外装体とを備える使い捨ておむつであって、
前記吸収性本体は、その長手方向に沿う両側に一対の防漏カフを有し、
前記防漏カフは、腹側部及び背側部において、該防漏カフが前記吸収性本体の肌当接面側に接合されて接合部を形成している一方、股下部では、着用状態において起立するようになされており、
おむつ長手方向の端部域における肌当接面側に、前記吸収性本体の長手方向の端縁を含む端部域を覆い、且つ平面視において前記接合部の少なくとも一部と重なる、被覆シートが配されており、
前記被覆シートは、その股下部側に位置し且つおむつ幅方向に延びる端部域が、前記吸収性本体の肌当接面と非接合状態になっており、
前記防漏カフの前記接合部は、該接合部のうち、おむつ幅方向の外方側の端部が、前記被覆シートの股下部側に位置する端縁を越えて、股下部側に向けて延出しているとともに、おむつ幅方向の内側の端部が、該被覆シートの該端縁を越えない位置に位置している、使い捨ておむつを提供するものである。
【発明の効果】
【０００８】
本発明によれば、防漏カフ及び被覆シートにおける非接合状態の端部域の立ち上がり性が良好になり、液の横漏れ及び前後方向からの漏れを効果的に防止することができる。
【図面の簡単な説明】
【０００９】
【図１】図１は、本発明の一実施形態であるパンツ型使い捨ておむつの斜視図である。
【図２】図２は、図１に示すおむつの展開且つ伸長状態を、肌当接面側から見た状態を示す展開平面図である。展開且つ伸長状態は、サイドシール部で切り離して展開し、各部の弾性部材を伸長させて平面状に拡げた状態である。
【図３】図３は、着用状態における図２に示すおむつの、幅方向中央線ＣＬに沿う断面を模式的に示す断面図である。
【図４】図４は、図２のIV−IV線断面を模式的に示す断面図である。
【図５】図５は、図２のＶ−Ｖ線断面を模式的に示す断面図である。
【図６】図６（ａ）は、図２における内側接合部の位置での長手方向に沿うおむつの断面を模式的に示す断面図であり、図６（ｂ）は、図２における外側接合部の位置での長手方向に沿うおむつの断面を模式的に示す断面図である。
【図７】図７は、吸収性本体の幅方向に並ぶ内側接合部及び外側接合部の配置例を示す平面図である。
【図８】図８は、本発明の使い捨ておむつの別の実施形態を示す平面図（図２に相当する要部拡大図）である。
【図９】図９は、本発明の使い捨ておむつの更に別の実施形態を示す平面図（図２に相当する要部拡大図）である。
【図１０】図１０は、図１に示すおむつの表面シートの凹凸領域を示す斜視図である。
【発明を実施するための形態】
【００１０】
以下、本発明をその好ましい実施形態に基づき図面を参照しながら説明する。
本発明の一実施形態であるパンツ型使い捨ておむつ１（以下「おむつ１」ともいう）は、図１ないし図３に示すように、吸収性本体５と、該吸収性本体５の非肌当接面側に位置して該吸収性本体５を固定している外装体１０とを備えている。また、おむつ１は、図２に示すように、着用者の前後方向に相当する長手方向Ｘとこれに直交する幅方向Ｙとを有しており、着用時に着用者の腹側に配される腹側部Ａと、着用者の背側に配される背側部Ｂと、腹側部Ａと背側部Ｂとの間に位置して着用者の股間部に配される股下部Ｃとを有している。そして、腹側部Ａにおける外装体１０の側縁部Ａ１，Ａ１と背側部Ｂにおける外装体１０の側縁部Ｂ１，Ｂ１とが、ヒートシール、超音波シール等の公知の接合手段により互い接合されて、一対のサイドシール部Ｓ，Ｓ、ウエスト開口部７及び一対のレッグ開口部８，８が形成されている。おむつ１の外装体１０は、おむつ１の外面を形成している。
【００１１】
腹側部Ａ、背側部Ｂ及び股下部Ｃは、展開且つ伸長状態（図２参照）のおむつ１を、長手方向Ｘの全長を３等分するように３領域に区分したときの各領域である。展開且つ伸長状態とは、サイドシール部を引き剥がして、おむつを展開状態とし、その展開状態のおむつを、各部の弾性部材を伸長させて、設計寸法（弾性部材の影響を一切排除した状態で平面状に拡げたときの寸法と同じ）となるまで拡げた状態をいう。また、おむつ１の幅方向中央線ＣＬは、おむつ１の長手方向の全長を２等分して幅方向Ｙに延びる仮想直線である。
【００１２】
また、本明細書において、肌当接面は、パンツ型使い捨ておむつ又はその構成部材（例えば吸収性本体）における、着用時に着用者の肌側に向けられる面であり、非肌当接面は、パンツ型使い捨ておむつ又はその構成部材における、着用時に着用者の肌側とは反対側（着衣側）に向けられる面である。
【００１３】
本実施形態のおむつ１における外装体１０は、図２及び図３に示すように、２枚の外装体形成用シート１１，１２と、これら２枚のシート間に伸長状態で固定された各部の弾性部材とからなる。すなわち、２枚の外装体形成用シート１１，１２間には、ウエスト開口部７の周縁部にウエストギャザーを形成するウエスト部弾性部材７１，レッグ開口部８の周縁部にレッグギャザーを形成するレッグ部弾性部材８１，及び胴回り部Ｄ（ウエスト開口部７の周縁端から下方に２０ｍｍ離間した位置からレッグ開口部８の上端までの領域）に左右に分割された状態の胴回りギャザー１３，１３を形成する胴回り弾性部材９１が、それぞれ伸長状態で、ホットメルト型接着剤等の任意の接合手段により接合固定されている。ただし胴回りギャザー１３，１３に関しては、該胴回りギャザー１３の少なくとも一部が平面視において吸収体４と重なっていてもよい。外装体形成用シート１１，１２は、これら２枚のシートのうち、外側に位置する外装体形成用シート１１が、ウエスト開口部７の周縁部から外方に延出した延出部１１ａを有している。延出部１１ａは、おむつ１の肌当接面側に折り返されている。折り返された延出部１１ａは、吸収性本体５の長手方向Ｘの端縁を含む端部域を覆うように配されている。このように、延出部１１ａは、おむつ１の長手方向Ｘの端部域における肌当接面側に位置し、且つ吸収性本体５の端部域を覆う被覆シートとして用いられ、吸収性本体５の端縁から、吸収性材料が漏出することを防止している。
【００１４】
外装体１０に形成されている胴回りギャザー１３，１３は、図２に示すように、腹側部Ａ及び背側部Ｂのそれぞれに、それぞれ、左右に分割された状態に形成されている。腹側部Ａ及び背側部Ｂのそれぞれにおける、左右の胴回りギャザー１３，１３間においては、複数の弾性部材９１の一部が、図４に示すように、伸長状態を解除された断片９１ｎとして存在しており、胴回りギャザー１３，１３間は、外装体１０が伸縮性を発現しない非伸縮領域ｎとなっている。左右の胴回りギャザー１３，１３は、胴回り弾性部材９１によっておむつ１の幅方向Ｙに伸縮性を有するとともに、図４に示すように、おむつ１の幅方向中央側に、吸収体４と重なって存在する内側伸縮部１３ｅを有している。複数の弾性部材９１は、そのすべてが、左右の胴回りギャザー１３，１３間において、断片９１ｎとして存在していることを要せず、複数の弾性部材９１の一部は、非断片状態で吸収体４上を横切っていてもよい。
【００１５】
吸収性本体５は、図２に示すように、おむつ１の長手方向Ｘに長い縦長の形状を有している。図３及び図４に示すように、吸収性本体５は、液透過性の表面シート２及び液保持性の吸収体４を備えている。吸収性本体５は、その長手方向を、展開且つ伸長状態におけるおむつ１の長手方向Ｘに一致させて、外装体１０の中央部に公知の接合手段（接着剤等）により接合されている。吸収体４は、吸収性本体５と同様に、おむつ１の長手方向Ｘに長い形状を有している。
【００１６】
おむつ１における吸収体４は、図２及び図３に示すように、吸収性コア４０と、該吸収性コア４０の肌当接面側及び非肌当接面側を被覆するコアラップシート４１とからなり、吸収性コア４０は、矩形状の下部吸収コア４１２と、下部吸収コア４１２の一部に積層された上部吸収コア４１１とからなる。吸収性コア４０は、股下部Ｃにおける幅方向中央部に、下部吸収コア４１２上に上部吸収コア４１１が積層されていることによって相対的に厚みが厚くなっている中央領域４２を有し、該中央領域４２を挟んでその両側それぞれに、下部吸収コア４１２上に上部吸収コア４１１が積層されておらず、中央領域４２よりも厚みが薄い一対の側部領域４３，４３を有している。
【００１７】
吸収体４において、上部吸収コア４１１及び下部吸収コア４１２は、いずれも繊維集合体又はこれに吸水性ポリマーを保持させたものからなる。また、コアラップシート４１は、ティッシュペーパーや透水性の不織布からなり、吸収性コア４０の全体を被覆している。
【００１８】
吸収体４において、下部吸収コア４１２は、股下部Ｃにおける上部吸収コア４１１を重ねた部位の両側に、下部吸収コア４１２を貫通する切離部４４，４４を有している。また、それらの切離部４４，４４においては、図３に示すように、吸収性コア４０の肌当接面側を被覆するコアラップシート４１と吸収性コア４０の非肌当接面側を被覆するコアラップシート４１とが、接着剤４６等の公知の接合手段により互いに接合されている。
【００１９】
おむつ１における表面シート２は、図３及び図４に示すように、吸収性本体５の幅方向中央部に配される部分に、凸部２１が散点状に形成された凹凸領域２ａを有しており、その凹凸領域２ａを挟む両側それぞれに、凹凸を有しない平坦な非凹凸領域２ｂ，２ｂを有している。表面シート２は、矩形状を有し、吸収性本体５の長手方向の全長にわたる長さを有している。凹凸領域２ａは、表面シート２の幅方向中央部に形成され、その両側に非凹凸領域２ｂ，２ｂが形成されている。凹凸領域２ａ及び一対の非凹凸領域２ｂ，２ｂは、いずれも矩形状を有している。凹凸領域２ａは、表面シート２の全長のうち、長手方向の前後の端部域を除く領域に形成されている。非凹凸領域２ｂ，２ｂは、表面シート２の全長にわたるように形成されている。
【００２０】
凹凸領域に関し、上述した「凸部が散点状に形成されている」とは、表面シートの平面視における任意の一方向及びその交差方向（好ましくは直交方向）のそれぞれに、複数の凸部が、凸部間に凹部を有する状態に配置されていることを意味する。任意の一方向は、おむつの長手方向Ｘと同方向であることが好ましい。なお、凹凸領域２ａは、上述した凸部が散点状に形成されている形態に限られず、他の形態であってもよい。他の形態としては、例えばそれぞれ長手方向Ｘに沿って延びる凸部と凹部とが、幅方向Ｙに交互に配置された畝溝構造の形態が挙げられる。この畝溝構造の凹凸領域においては、凸部の内部は中空であってもよく、あるいは繊維等で満たされた中実であってもよい。
【００２１】
表面シート２は、図３及び図４に示すように、吸収体４の肌当接面側の全域、吸収体４の長手方向の両側縁４ｅ，４ｅ、及び吸収体４の長手方向両側部４ｓ，４ｓにおける非肌当接面側を覆うように配されており、吸収性本体５の幅方向中央部における、吸収体４の肌当接面側を覆う部分に、前述した凹凸領域２ａを有している。表面シート２の凹凸領域２ａは、好ましくは、腹側部Ａ及び背側部Ｂのそれぞれにおいて、防漏カフ６，６の上側縁部６ａ，６ａ間の幅に対して１００％超の幅を有している。表面シート２がこのような凹凸形状を有することにより、後述するとおり、被覆シートとして用いられる外装体形成用シート１１の延出部１１ａにおける長手方向Ｘの股下部Ｃ側の端部域が捲れ易くなり、ポケット部を形成しやすくなる。
【００２２】
図３に示すように、吸収体４の長手方向の両側縁４ｅの近傍に、吸収体４の側部４ｓを立ち上げるための側部弾性部材４５が配されている。側部弾性部材４５は、吸収体４と表面シート２との間に、おむつ長手方向Ｘに伸長した状態で配されており、吸収体４及び表面シート２の一方又は両方に、接着剤等の公知の固定方法により固定されている。
【００２３】
表面シート２は、吸収性本体５の幅方向の両端部における、吸収体４の肌当接面側を覆う部分２ｓ，２ｓに、前述した凹凸領域２ａを有している。本実施形態における表面シート２の一対の非凹凸領域２ｂは、それぞれ、吸収体４の非肌当接面側に巻き下げられており、吸収性本体５の長手方向両側部における非肌当接面を形成している。すなわち、本実施形態における表面シート２は、吸収体４の長手方向の側縁４ｅを被覆する部分、及び吸収体４の長手方向両側部４ｓ，４ｓにおける非肌当接面側を覆う部分４ｒ、４ｒも、凹凸を有しない平坦な非凹凸領域２ｂとなっている。
【００２４】
おむつ１には、吸収性本体５の長手方向の両側に一対の防漏カフ６，６が設けられている。防漏カフ６は、図２ないし図４に示すように、吸収性本体５の長手方向の両側に、それぞれ、おむつの長手方向Ｘに延びるように形成されている。防漏カフ６は、それぞれ、防漏カフ形成用シート６０と、防漏カフ６の上側縁部６ａ近傍に伸長状態で固定された防漏カフ起立用の弾性部材６１と、防漏カフ６の上側縁部６ａと起立基端６ｂとの中間部に伸長状態で固定された中間部弾性部材６２とを備えている。上側縁部６ａは、股下部Ｃにおいては、着用者の肌側に向かって立ち上がった防漏カフ６の自由端を形成する。
【００２５】
防漏カフ６は、図４に示すように、腹側部Ａにおいては、吸収性本体５の非肌当接面側から吸収性本体５の肌当接面側にわたるように配されており、吸収性本体５の非肌当接面側に位置する部分は、固定部７０において吸収性本体５に固定されている。図示していないが、腹側部Ｂにおいても同様の構成を有している。
【００２６】
防漏カフ６は、腹側部Ａ及び背側部Ｂのそれぞれにおける、吸収性本体５の肌当接面側に位置する部分に、図２、図４及び図５に示すように、吸収性本体５の肌当接面側に接合された内側接合部６３及び外側接合部６４を有している。より詳細には、防漏カフ６は、その長手方向の両端それぞれの近傍に、相対的におむつ幅方向Ｙの内方寄りに位置する内側接合部６３と、相対的におむつ幅方向Ｙの外方寄りに位置する外側接合部６４を有している。つまり内側接合部６３は、接合部のうち、おむつ１の幅方向Ｙの内方側の端部であり、外側接合部６４は、接合部のうち、おむつ１の幅方向Ｙの外方側の端部である。腹側部Ａ及び背側部Ｂのいずれにおいても、内側接合部６３及び外側接合部６４は、防漏カフ６が表面シート２上に接合されていない領域である非接合領域６５を挟んで、おむつ幅方向Ｙに並んでいる。内側接合部６３及び外側接合部６４は、防漏カフ６が、おむつ幅方向Ｙの内方側に向けて倒伏して吸収性本体５の肌当接面に接合されることで形成されている。内側接合部６３及び外側接合部６４は、図５に示すとおり、吸収体４上に位置している。
【００２７】
図２及び図５に示すとおり、上述した外装体１０における外装体形成用シート１１の延出部１１ａは、おむつ１の肌当接面側に折り返され、折り返された該延出部１１ａは、おむつ１の平面視において、内側接合部６３及び外側接合部６４のうちの少なくとも一部と重なるように配されている。「内側接合部６３及び外側接合部６４のうちの少なくとも一部と重なるように配されている」とは、延出部１１ａが内側接合部６３の少なくとも一部と重なっている場合、延出部１１ａが外側接合部６４の少なくとも一部と重なっている場合、並びに延出部１１ａが内側接合部６３の少なくとも一部及び外側接合部６４の少なくとも一部と重なっている場合を包含する。図２及び図５には、延出部１１ａが内側接合部６３の少なくとも一部及び外側接合部６４の少なくとも一部と重なっている状態が示されている。
【００２８】
図６（ａ）及び（ｂ）に示すとおり、前記の延出部１１ａは、その股下部Ｃ側に位置し且つおむつ幅方向Ｙに延びる端部域１１１ａが、吸収性本体５の肌当接面と非接合状態になっている。したがって、該端部域１１１ａは、防漏カフ６とも非接合状態になっている。一方、図５並びに図６（ａ）及び（ｂ）に示すとおり、延出部１１ａにおける端部域１１１ａ以外の領域、すなわち端部域１１１ａよりも、おむつ長手方向Ｙの端縁寄りの領域１１２ａは、接着剤１１３ａによって、おむつ肌当接面と接合されている。その結果、延出部１１ａと、倒伏した防漏カフ６とが接合される。図６（ａ）に示すとおり、延出部１１ａの前記領域１１２ａと、吸収性本体５の肌当接面との接合部のうち、長手方向Ｘの股下部Ｃ側の端部１１３ｂは、防漏カフ６の内側接合部６３における股下部Ｃ側の端部よりも、ウエスト開口部端部７側に位置している。延出部１１ａの端部域１１１ａとは、該延出部１１ａにおける股下部Ｃ側に位置する端縁１１１ｅと、前記端部１１３ｂとの間に位置する長手方向Ｘについての領域のことを言う。
【００２９】
防漏カフ６を吸収性本体５の肌当接面に接合している部位である内側接合部６３及び外側接合部６４は、図２に示すとおり、おむつ１の長手方向Ｘに沿って延びる細長い形状をしている。内側接合部６３及び外側接合部６４は、それらの両端部のうち、おむつ長手方向Ｘの端部側の端部の位置が、おむつ長手方向Ｘにおいて一致している。一方、おむつ長手方向Ｘの股下部Ｃ側の端部の位置は、図６（ａ）及び（ｂ）に示すとおり、内側接合部６３の端部６３ｅよりも、外側接合部６４の端部６４ｅの方が、股下部Ｃ側に近くなっている。したがって、おむつ長手方向Ｘに沿った長さを、内側接合部６３と外側接合部６４とで比較すると、外側接合部６４の長さの方が、内側接合部６３の長さよりも長くなっている。そして、外側接合部６４の端部６４ｅは、図２及び図６（ｂ）に示すとおり、延出部１１ａにおける股下部Ｃ側に位置する端縁１１１ｅを越えて、股下部Ｃ側に向けて延出している。一方、内側接合部６３の端部６３ｅは、延出部１１ａの端縁１１１ｅを越えずに、該端縁１１１ｅよりも、おむつ長手方向Ｘの端縁側で終端している。図６（ａ）には、内側接合部６３の端部６３ｅが、延出部１１ａの端縁１１１ｅよりも、おむつ長手方向Ｘの端縁側で終端している状態が示されている。
【００３０】
以上の構成を有する本実施形態のおむつ１によれば、防漏カフ６の前後の端部域を吸収性本体５の肌当接面に接合固定するときの内側接合部６３及び外側接合部６４の形態を上述のとおりにすることで、おむつ１を着用者の身体に装着したときに、防漏カフ６が自発的に立ち上がるとともに、延出部１１ａの端部域１１１ａも自発的に立ち上がるようになる。その結果、おむつ１の腹側部Ａ及び背側部Ｂの双方において、股下部Ｃ側に向けて開口したポケット部（図示せず）が形成される。このポケット部の形成によって、おむつ１の横漏れ及び前後からの漏れが効果的に防止される。「自発的に立ち上がる」とは、おむつ１を着用者の身体に装着するときに、指等で防漏カフ６や延出部１１ａの端部域１１１ａを意図的に立ち上げなくても、これらが自然と肌当接面から離間することをいう。
【００３１】
以上の有利な効果を一層顕著なものとする観点から、内側接合部６３及び外側接合部６４の形成位置は、吸収性本体５における吸収体４上であることが好ましい。この場合、上述した胴回りギャザー１３の少なくとも一部が平面視において吸収体４と重なっていると、おむつ１を着用者の身体に装着したときに、防漏カフ６と延出部１１ａの端部域１１１ａとが身体に一層沿いやすくなり、前記のポケット部が一層形成されやすくなるので好ましい。本実施形態において、胴回りギャザー１３が吸収体４と重なっている部位は、上述した内側伸縮部１３ｅである。なお図５においては、内側伸縮部１３ｅに、外側接合部６４のみが形成されている状態が示されているが、これに代えて、内側伸縮部１３ｅに、外側接合部６４及び内側接合部６３の双方が形成されていてもよく、その場合の方が、ポケット部の形成性は一層良好になる。
【００３２】
ポケット部の形成性を更に一層良好にするために、延出部１１ａの端部域１１１ａにおける、おむつ長手方向Ｘに沿う長さＬは、５ｍｍ以上２０ｍｍ以下であることが好ましく、１０ｍｍ以上１５ｍｍ以下であることが更に好ましい。
【００３３】
防漏カフ６及び延出部１１ａの端部域１１１ａの起立性を一層良好にするためには、本実施形態で採用しているとおり、防漏カフ６を、おむつ幅方向Ｙの内方側に向けて倒伏させ、その倒伏状態下に、該防漏カフ６と吸収性本体の肌当接面とを、内側接合部６３及び外側接合部６４によって接合することが好ましい。この場合、内向きに倒伏した状態の防漏カフ６上側を被覆するように延出部１１ａが配置され、その状態下に両者が接合されていると、防漏カフ６及び延出部１１ａの端部域１１１ａの起立性が更に一層良好になるので好ましい。
【００３４】
防漏カフ６の内側接合部６３及び外側接合部６４を、表面シート２に固定する方法としては、いずれも、接着剤による接着のほか、ヒートシール、高周波シール、超音波シール等の公知の接合手段を採用してもよいが、内側接合部６３及び外側接合部６４のいずれの固定についても、接着剤を用いることが、防漏カフ６の柔軟性の向上の点から好ましい。なお、内側接合部６３と外側接合部６４とで、接合方法は、同じでも異なっていてもよい。
【００３５】
内側接合部６３及び外側接合部６４における固定に、接着剤を用いる場合、内側接合部６３を固定する接着剤の坪量を、外側接合部６４を固定する接着剤の坪量よりも高くすることが、防漏カフ６を一層剥がれにくくする観点から好ましく、その場合、内側接合部６３を固定する接着剤の坪量は、好ましくは３ｇ／ｍ２以上２５ｇ／ｍ２以下とし、外側接合部６４を固定する接着剤の坪量は、好ましくは１ｇ／ｍ２以上２０ｇ／ｍ２以下とする。両者の坪量差は、例えば、１ｇ／ｍ２以上であることが好ましく、より好ましくは２ｇ／ｍ２以上５ｇ／ｍ２以下である。
【００３６】
内側接合部６３及び外側接合部６４における固定に、接着剤を用いる場合、内側接合部６３を固定する接着剤の幅Ｗ３〔吸収性本体の幅方向に沿う長さ、図７参照〕は、外側接合部６４を固定する接着剤の同幅Ｗ４〔吸収性本体の幅方向に沿う長さ、図７参照〕よりも広くすることが、防漏カフ６を一層剥がれにくくする観点から好ましい。その場合、内側接合部６３を固定する接着剤の幅Ｗ３と外側接合部６４を固定する接着剤の幅Ｗ４の比（Ｗ３／Ｗ４）は、好ましくは１．５以上、より好ましく２以上であり、また、好ましくは１．５以上１０以下であり、より好ましくは２以上８以下である。
【００３７】
内側接合部６３と外側接合部６４との間の非接合領域６５の幅Ｗ５〔吸収性本体の幅方向に沿う長さ、図７参照〕は、防漏カフ６を一層剥がれにくくする観点から、好ましくは５ｍｍ以上３０ｍｍ以下であり、より好ましくは１０ｍｍ以上２５ｍｍ以下である。
【００３８】
防漏カフ６の長手方向の端から、その近傍に位置する内側接合部６３及び外側接合部６４それぞれまでの距離は、例えば０ｍｍ以上２０ｍｍ以下の範囲内である。他方、着用状態における股下部Ｃにおいては、図３に示すように、弾性部材６１が収縮することによって、防漏カフ６が、着用者の肌側に向かって立ち上がるようになされている。
【００３９】
おむつ１における防漏カフ６は、図４に示すように、腹側部Ａ及び背側部Ｂにおいて、吸収性本体５の非肌当接面側から肌当接面側にわたる状態に固定されている。そのため、股下部Ｃにおける防漏カフ６が、高さ方向の上側部分が内向きに傾斜した状態に起立しやすくなり、防漏カフ６による防漏効果が向上する。また、中間部弾性部材６２の存在によって、吸収性本体５の両側部の非肌当接面側と防漏カフ６との間の隙間に、尿等の液が流れ込みやすくなる。おむつ１においては、防漏カフ形成用シート６０として、所定幅の帯状の撥水性シート１枚を、その長手方向に沿う折り曲げ線で二つ折りして、相対向する層間をホットメルト型接着剤又は部分的な熱シール若しくは超音波シール等で接合した２層構造のシートを用いており、防漏カフ起立用の弾性部材６１は、この２層構造のシートの層間に伸長状態で固定されている。
【００４０】
おむつ１における外装体１０の肌当接面側に、ホットメルト型接着剤等の接着剤により、樹脂フィルムからなる液不透過性の防漏シート３、防漏カフ６の防漏カフ形成用シート６０及び吸収性本体５が順次接合されている。防漏シート３に関し液不透過性とは、液難透過性も含む概念である。
【００４１】
図８及び図９には本発明の使い捨ておむつの別の実施形態が示されている。これらの図は、おむつの腹側部の要部拡大図である。図示していないが、おむつの背側部の構成は、腹側部と同じになっている。これらの実施形態に関し特に説明しない点については、先に述べた実施形態に関する説明が適宜適用される。また、図８及び図９において、図１ないし図６と同じ部材には同じ符号を付してある。
【００４２】
図８に示す実施形態は、防漏カフ６が吸収性本体５の肌当接面に接合されている接合部６６の形状が先に説明した実施形態と相違している。本実施形態においては、１つの防漏カフ６につき、１つの接合部６６が形成されている。接合部６６は台形の形状をしている。台形の形状をしている接合部６６は、おむつ幅方向Ｙの相対的に外方寄りに下底６６ｂを有し、且つおむつ幅方向Ｙの相対的に内方寄りに上底６６ｔを有している。
【００４３】
また、台形の形状を有する接合部６６においては、台形の２つの脚６６ｓ１、６６ｓ２のうち、おむつ長手方向Ｘの相対的に端部寄りの脚６６ｓ１が、おむつ幅方向Ｙと平行に延びている。これとともに、おむつ長手方向Ｘの相対的に股下部Ｃ寄りの脚６６ｓ２が、おむつ幅方向Ｙに対して傾斜している。したがって、接合部６６のおむつ長手方向Ｘに沿った長さを、おむつ幅方向Ｙに沿って見ると、幅方向Ｙの内方から外方に向けて、該長さが漸次長くなっている。そして、接合部６６のうち、おむつ幅方向Ｙの最も外方寄りの部位においては、該部位が、延出部１１ａの股下部Ｃ側に位置する端縁１１１ｅを越えて、股下部Ｃ側に向けて延出している。これとともに、接合部６６のうち、おむつ幅方向Ｙの最も内方寄りの部位においては、該部位が、延出部１１ａの股下部Ｃ側に位置する端縁１１１ｅを越えずに、該端縁１１１ｅよりもおむつ長手方向Ｘの端部寄りの位置で終端している。
【００４４】
以上の構成を有する接合部６６が形成された使い捨ておむつにおいても、図１ないし図６に示す実施形態の使い捨ておむつと同様の効果が奏される。また、本実施形態のおむつでは、１つの防漏カフにつき１つの接合部６６のみが形成されているので、２つの接合部６３，６４が形成されている先の実施形態のおむつよりも、接合部６６の形成を容易に行えるという利点がある。
【００４５】
図９に示す実施形態のおむつも、図８に示す実施形態のおむつと同様に、防漏カフ６が吸収性本体５の肌当接面に接合されている接合部６７，６８，６９の形状が図１ないし図６に示す実施形態と相違している。本実施形態においては、１つの防漏カフ６につき、３つの接合部６７，６８，６９が幅方向Ｙに沿って形成されている。各接合部６７，６８，６９はいずれも、おむつ長手方向Ｘに沿って延びる細長い矩形状をしている。幅方向Ｙの最も外方に位置する接合部６７と、幅方向Ｙの中央に位置する接合部６８との間には第１非接合部６５ａが形成されている。幅方向Ｙの中央に位置する接合部６８と、幅方向Ｙの最も内方に位置する接合部６９との間には第２非接合部６５ｂが形成されている。３つの接合部６７，６８，６９は、おむつ長手方向Ｘの相対的に端部寄りの第１端部６７ａ，６８ａ，６９ａの位置が、おむつ長手方向Ｘにおいて一致している。一方、おむつ長手方向Ｘの相対的に股下部Ｃ寄りの第２端部６７ｂ，６８，６９ｂの位置が、おむつ長手方向Ｘにおいて異なっている。詳細には、接合部６７の第２端部６７ｂの位置が、おむつ長手方向Ｘの最も股下部Ｃ寄りになっている。そして、接合部６８の第２端部６８ｂの位置が、接合部６７の第２端部６７ｂの位置に次いでおむつ長手方向Ｘの股下部Ｃ寄りになっている。更に、接合部６９の第２端部６９ｂの位置が、接合部６８の第２端部６８ｂの位置に次いでおむつ長手方向Ｘの股下部Ｃ寄りになっている。その結果、３つの接合部６７，６８，６９は、その長さが、接合部６７、接合部６８、接合部６９の順に短くなっている。換言すれば、おむつ幅方向Ｙの内方から外方に向けて、接合部６７，６８，６９の長さが漸次長くなっている。そして、３つの接合部６７，６８，６９のうち、おむつ幅方向Ｙの最も外方寄りに位置し且つ長さが最も長い接合部６７は、延出部１１ａの股下部Ｃ側に位置する端縁１１３ａを越えて、股下部Ｃ側に向けて延出している。これとともに、３つの接合部６７，６８，６９のうち、おむつ幅方向Ｙの最も内方寄りに位置し且つ長さが最も短い接合部６９は、延出部１１ａの股下部Ｃ側に位置する端縁１１１ｅを越えずに、該端縁１１１ｅよりもおむつ長手方向Ｘの端部寄りの位置で終端している。接合部６７と接合部６９との中間の長さを有し且つこれらの接合部６７，６９間に位置する接合部６８における第２端部６８ｂの位置は、延出部１１ａの股下部Ｃ側に位置する端縁１１３ａと概ね同位置にある。
【００４６】
３つの接合部６７，６８，６９は、それらの幅、すなわちおむつ幅方向Ｙに沿う長さが同じであってもよく、あるいは異なっていてもよい。この幅は、図１ないし図６に示す実施形態における接合部６３，６４の幅よりも狭いことが好ましい。３つの接合部６７，６８，６９間に位置する２つの非接合部６５ａ，６５ｂの幅は、同じであってもよく、あるいは異なっていてもよい。この幅は、図１ないし図６に示す実施形態における非接合部６５の幅よりも狭いことが好ましい。
【００４７】
以上の構成を有する接合部６７，６８、６９が形成された使い捨ておむつにおいても、図１ないし図６に示す実施形態の使い捨ておむつと同様の効果が奏される。また、本実施形態のおむつでは、１つの防漏カフにつき幅の狭い３つの接合部６７、６８，６９が形成されているので、２つの接合部６３，６４が形成されている図１ないし図６に示す実施形態のおむつよりも、接合部を形成する接着剤の量を低減させることができ、接着剤の使用に起因して該接合部が硬くなることを効果的に防止することができる。
【００４８】
次に、以上の各実施形態について共通の事項について説明する。おむつ１の各部を構成する材料としては、当該技術分野において通常用いられているものを特に制限なく用いることができる。例えば、防漏シート３としては、液不透過性の材料や撥水性の材料を用いることができる。液不透過性の材料としては、樹脂フィルムや、樹脂フィルムと不織布等とのラミネート材等を用いることができ、撥水性の材料としては、撥水性不織布等を用いることができる。
【００４９】
本実施形態における表面シート２は、図１０に示すように、おむつ１の長手方向Ｘに相当する一方向に、複数の凸部２１が、凸部間に凹部２２ａを有する状態に配置されているとともに、おむつ１の幅方向Ｙに相当する交差方向にも、複数の凸部２１が、凸部間に凹部２２ａを有する状態に配置されている。
【００５０】
表面シート２における凹凸領域２ａは、図１０に示すように、凹凸形状に賦形された上層シート２２と、凹凸形状に賦形されていない下層シート２３が、上層シート２２の凹部２２ａにおいて互いに接合された構成を有している。下層シート２３に関し、凹凸形状に賦形されていないという意味は、下層シート自体に凹凸を付与する加工が施されていないことを意味し、凹凸賦形した上層シート２２に接合されている結果、下層シート２３に多少の起伏が生じている場合も「凹凸形状に賦形されていない」に該当する。
上層シート２２には、凸部２１が、千鳥状に形成されている。より詳細には、凸部２１と凹部２２ａとが、おむつ長手方向Ｘに交互に且つ一列をなすように配列されており、そのような列が、おむつ幅方向Ｙに多列に形成されている。おむつ幅方向Ｙにおいて隣接する列同士は、凸部２１の位置がおむつ長手方向Ｘに半ピッチ分ずれている。したがって、一の列における任意の一つの凹部２２ａに着目したときに、該一つの凹部２２ａはその前後及び左右が凸部２１によって取り囲まれて形成された、閉じた凹部となっている。本実施形態の表面シート２においては、凹部２２ａも、凸部２１と同様に千鳥状に配置されている。
【００５１】
上層シート２２は、凹部２２ａの全域又は一部において下層シート２３と接合されている。上層シート２２が凹部２２ａの一部において下層シート２３と接合されている形態としては、上層シート２２が、凹部２２ａ内の１箇所又は複数個所（例えば２箇所、３箇所又は４か所以上）で下層シート２３と接合されている形態が挙げられる。例えば、上層シート２２は、平面視矩形状の凹部２２ａの四隅において下層シート２３と接合されていてもよい。また、凸部２１は、内部が空洞である。
【００５２】
上層及び下層シート２２，２３を構成するシート材料としては、使い捨ておむつや生理用ナプキン等の吸収性物品の表面シートの形成材料として公知の各種のシート材料を用いることができるが、液透過性の向上や肌触りの観点から不織布であることが好ましい。不織布としては、カード法又はエアレイド法により得た繊維ウエブにエアスルー法で繊維同士の熱融着点を形成したエアスルー不織布、カード法により得た繊維ウエブにヒートロール法で繊維同士の熱融着点を形成したヒートロール不織布、ヒートエンボス不織布、スパンボンド不織布（Ｓ）、メルトブローン不織布（Ｍ）、スパンボンド−メルトブローン複合不織布（ＳＭ，ＳＭＳ，ＳＭＭＳ等）、スパンレース不織布、ニードルパンチ不織布、エアレイド不織布、レジンボンド不織布等の種々の不織布を用いることができる。
【００５３】
上部吸収コア４１１及び下部吸収コア４１２としては、繊維集合体、又は繊維集合体と吸水性ポリマーとからなるもの（吸水性ポリマーと繊維材料との混合積繊物）等を用いることができる。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸収性コアを構成する繊維としては、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。
【００５４】
防漏カフ形成用シートに用いるシート材料としては、単層又は多層の撥水性不織布、樹脂フィルムと不織布等とのラミネート材等を用いることができる。柔軟性、耐水性などの点から、ＳＭ（スパンボンド−メルトブローン）不織布、ＳＭＳ（スパンボンド−メルトブローン−スパンボンド）不織布等の、スパンボンドとメルトブローンとからなる多層構造の不織布が好ましく、坪量は１２ｇ／ｍ２程度が好ましい。これらのシート材料は、おむつ１におけるように、２枚重ねとして用いてもよいし、弾性部材６１を配する部分等の一部のみを２層構造として用いてもよい。
【００５５】
弾性部材６１，６２，７１，８１，９１の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００５６】
外装体形成用シート１１，１２としては、この種の物品に従来使用されている各種のシート材を特に制限なく用いることができるが、柔軟性の観点から、不織布であることが好ましく、例えば、エアスルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。
【００５７】
以上、本発明をその好ましい実施形態に基づき説明したが、本発明は前記実施形態に制限されるものではない。例えば前記実施形態においては、外装体形成用シート１１の延出部１１ａを、吸収性本体５の肌当接面側に折り返して、該吸収性本体５の端部域を該延出部１１ａで覆うようにしたが、これに代えて、外装体形成用シート１１とは別体の毎葉の被覆シートを用意し、該被覆シートによって吸収性本体５の端部域を覆うようにしてもよい。
【００５８】
また防漏カフ６は、腹側部Ａ及び背側部Ｂのいずれか一方のみに、内側接合部６３、外側接合部６４及びその間の非接合領域６５を有していてもよい。
【００５９】
吸収性コアは、上述したおむつ１における下層吸収性コアのみからなるものであってもよく、更に、その下層吸収性コアから切離部４４を無くしてもよい。また、切離部４４を無くした下層吸収性コア上に、おむつ１における上部吸収コア４１１のような小型の上層吸収性コアを積層して、肌当接面側に段差を有する吸収体を構成してもよい。また、公知の積繊装置の積繊用凹部内に深さの深い部位と浅い部位とを形成し、該積繊用凹部にパルプ繊維等のコア形成材料を堆積させて、厚みの厚い中央領域とそれより厚みの薄い側部領域とを有する吸収性コアを形成してもよい。
【００６０】
コアラップシート４１は、連続する一枚のシートで、吸収性コア４０の肌当接面側と非肌当接面側とを被覆してもよいし、吸収性コアの肌当接面側と吸収性コアの非肌当接面側とを２枚のコアラップシートを組み合わせて被覆してもよい。
【００６１】
表面シート２は、凹凸領域２ａを有さない平坦なものであってもよい。
【００６２】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００６３】
上述した実施形態に関し、本発明は更に以下の使い捨ておむつを開示する。
＜１＞
液透過性の表面シート及び液保持性の吸収体を備える吸収性本体と、該吸収性本体の非肌当接面側に位置して該吸収性本体を固定している外装体とを備える使い捨ておむつであって、
前記吸収性本体は、その長手方向に沿う両側に一対の防漏カフを有し、
前記防漏カフは、腹側部及び背側部において、該防漏カフが前記吸収性本体の肌当接面側に接合されて接合部を形成している一方、股下部では、着用状態において起立するようになされており、
おむつ長手方向の端部域における肌当接面側に、前記吸収性本体の長手方向の端縁を含む端部域を覆い、且つ平面視において前記接合部の少なくとも一部と重なる、被覆シートが配されており、
前記被覆シートは、その股下部側に位置し且つおむつ幅方向に延びる端部域が、前記吸収性本体の肌当接面と非接合状態になっており、
前記防漏カフの前記接合部は、該接合部のうち、おむつ幅方向の外方側の端部が、前記被覆シートの股下部側に位置する端縁を越えて、股下部側に向けて延出しているとともに、おむつ幅方向の内側の端部が、該被覆シートの該端縁を越えない位置に位置している、使い捨ておむつ。
【００６４】
＜２＞
前記外装体は、腹側部及び背側部に、おむつ幅方向に伸縮性を有する胴回りギャザーを有し、
腹側部及び背側部の少なくとも一方における前記胴回りギャザーは、該胴回りギャザーの少なくとも一部が平面視において前記吸収体と重なっており、
前記防漏カフの前記接合部は、前記吸収体上に位置している、前記＜１＞に記載の使い捨ておむつ。
＜３＞
前記防漏カフの前記接合部は、該防漏カフが、おむつ幅方向の内方側に向けて倒伏して前記吸収性本体の肌当接面に接合されて形成されており、
前記被覆シートは、前記端部域以外の領域がおむつ肌当接面と接合されており、それによって該被覆シートと、倒伏した前記防漏カフとが接合されている前記＜１＞又は＜２＞に記載の使い捨ておむつ。
＜４＞
前記防漏カフの前記接合部は、おむつ幅方向の外方側の端部である外側接合部と、おむつ幅方向の内方側の端部である内側接合部とを有し、
前記外側接合部と前記内側接合部との間に非接合部が形成されている前記＜１＞ないし＜３＞のいずれか１に記載の使い捨ておむつ。
＜５＞
前記防漏カフの前記接合部は、おむつ幅方向の外方側の端部である外側接合部と、おむつ幅方向の内方側の端部である内側接合部とを有し、
前記被覆シートと、前記吸収性本体の肌当接面とが接合されて接合部が形成されており、
前記接合部のうち、長手方向の股下部側の端部は、前記防漏カフの前記内側接合部における股下部側の端部よりも、ウエスト開口部側に位置している前記＜１＞ないし＜４＞のいずれか１に記載の使い捨ておむつ。
＜６＞
前記防漏カフの前記接合部は、おむつ幅方向の外方側の端部である外側接合部と、おむつ幅方向の内方側の端部である内側接合部とを有し、
前記防漏カフの前記接合部は、おむつ幅方向の外方側の端部である外側接合部と、おむつ幅方向の内方側の端部である内側接合部とを有し、
前記内側接合部及び前記外側接合部は、それらの両端部のうち、おむつ長手方向の端部側の端部の位置が、おむつ長手方向において一致しており、
おむつ長手方向の股下部側の端部の位置は、前記内側接合部の端部よりも、前記外側接合部の端部の方が、股下部側に近くなっている前記＜１＞ないし＜５＞のいずれか１に記載の使い捨ておむつ。
【００６５】
＜７＞
前記防漏カフの前記接合部は、おむつ幅方向の外方側の端部である外側接合部と、おむつ幅方向の内方側の端部である内側接合部とを有し、
おむつ長手方向に沿った長さを、前記内側接合部と前記外側接合部とで比較すると、該外側接合部の長さの方が、該内側接合部の長さよりも長くなっている前記＜１＞ないし＜６＞のいずれか１に記載の使い捨ておむつ。
＜８＞
内向きに倒伏した状態の前記防漏カフの上側を被覆するように前記被覆シートが配置され、その状態下に両者が接合されている前記＜１＞ないし＜７＞のいずれか１に記載の使い捨ておむつ。
＜９＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されている前記＜１＞ないし＜８＞のいずれか１に記載の使い捨ておむつ。
＜１０＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されており、
前記内側接合部を固定する前記接着剤の坪量を、前記外側接合部を固定する前記接着剤の坪量よりも高くした前記＜１＞ないし＜９＞のいずれか１に記載の使い捨ておむつ。
＜１１＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されており、
前記内側接合部を固定する前記接着剤の坪量が、３ｇ／ｍ２以上２５ｇ／ｍ２以下である前記＜１＞ないし＜１０＞のいずれか１に記載の使い捨ておむつ。
【００６６】
＜１２＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されており、
前記外側接合部を固定する前記接着剤の坪量が、１ｇ／ｍ２以上２０ｇ／ｍ２以下である前記＜１＞ないし＜１１＞のいずれか１に記載の使い捨ておむつ。
＜１３＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されており、
前記外側接合部を固定する前記接着剤の坪量と、前記内側接合部を固定する前記接着剤の坪量との坪量差が、１ｇ／ｍ２以上であることが好ましく、より好ましくは２ｇ／ｍ２以上５ｇ／ｍ２以下である前記＜１＞ないし＜１２＞のいずれか１に記載の使い捨ておむつ。
＜１４＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されており、
前記内側接合部を固定する前記接着剤の幅Ｗ３を、前記外側接合部を固定する前記接着剤の幅Ｗ４よりも広くした前記＜１＞ないし＜１３＞のいずれか１に記載の使い捨ておむつ。
＜１５＞
前記防漏カフの前記接合部は、おむつ幅方向の外方側の端部である外側接合部と、おむつ幅方向の内方側の端部である内側接合部とを有し、
前記防漏カフの内側接合部及び前記外側接合部が、接着剤による接着で前記表面シートに固定されており、
前記内側接合部を固定する前記接着剤の幅Ｗ３と、前記外側接合部を固定する前記接着剤の幅Ｗ４との比であるＷ３／Ｗ４の値が、好ましくは１．５以上、より好ましく２以上であり、また、好ましくは１．５以上１０以下であり、より好ましくは２以上８以下である前記＜１＞ないし＜１４＞のいずれか１に記載の使い捨ておむつ。
＜１６＞
前記防漏カフの前記接合部は、おむつ幅方向の外方側の端部である外側接合部と、おむつ幅方向の内方側の端部である内側接合部とを有し、
前記内側接合部と前記外側接合部との間の非接合領域の幅Ｗ５が、好ましくは５ｍｍ以上３０ｍｍ以下であり、より好ましくは１０ｍｍ以上２５ｍｍ以下である前記＜１＞ないし＜１５＞のいずれか１に記載の使い捨ておむつ。
【００６７】
＜１７＞
前記吸収体は、吸収性コアと、該吸収性コアの肌当接面側及び非肌当接面側を被覆するコアラップシートとからなり、
前記吸収性コアは、矩形状の下部吸収コアと、該下部吸収コアの一部に積層された上部吸収コアとからなり、
前記吸収性コアは、股下部における幅方向中央部に、前記下部吸収コア上に上部吸収コアが積層されていることによって相対的に厚みが厚くなっている中央領域を有し、該中央領域４２を挟んでその両側それぞれに、該下部吸収コア上に該上部吸収コアが積層されておらず、該中央領域よりも厚みが薄い一対の側部領域を有している前記＜１＞ないし＜１６＞のいずれか１に記載の使い捨ておむつ。
＜１８＞
前記吸収体は、吸収性コアと、該吸収性コアの肌当接面側及び非肌当接面側を被覆するコアラップシートとからなり、
前記吸収性コアは、矩形状の下部吸収コアと、該下部吸収コアの一部に積層された上部吸収コアとからなり、
前記下部吸収コアは、股下部における前記上部吸収コアを重ねた部位の両側に、該下部吸収コアを貫通する切離部を有している前記＜１＞ないし＜１７＞のいずれか１に記載の使い捨ておむつ。
＜１９＞
前記吸収体は、吸収性コアと、該吸収性コアの肌当接面側及び非肌当接面側を被覆するコアラップシートとからなり、
前記吸収性コアは、矩形状の下部吸収コアと、該下部吸収コアの一部に積層された上部吸収コアとからなり、
前記下部吸収コアは、股下部における前記上部吸収コアを重ねた部位の両側に、該下部吸収コアを貫通する切離部を有しており、
前記切離部においては、前記吸収性コアの肌当接面側を被覆する前記コアラップシートと該吸収性コアの非肌当接面側を被覆する該コアラップシートとが、接着剤４６等の接合手段により互いに接合されている前記＜１＞ないし＜１８＞のいずれか１に記載の使い捨ておむつ。
＜２０＞
前記表面シートは、前記吸収性本体の幅方向中央部に配される部分に、凹凸領域を有している前記＜１＞ないし＜１９＞のいずれか１に記載の使い捨ておむつ。
＜２１＞
前記凹凸領域では、凸部が散点状に形成されている前記＜１＞ないし＜１９＞のいずれか１に記載の使い捨ておむつ。
【００６８】
＜２２＞
前記表面シートは、前記吸収性本体の幅方向中央部に配される部分に、凸部が散点状に形成された凹凸領域を有しており、その凹凸領域を挟む両側それぞれに、凹凸を有しない平坦な非凹凸領域を有している前記＜１＞ないし＜２１＞のいずれか１に記載の使い捨ておむつ。
＜２３＞
前記表面シートは、前記吸収性本体の幅方向中央部に配される部分に、凸部が散点状に形成された凹凸領域を有しており、その凹凸領域を挟む両側それぞれに、凹凸を有しない平坦な非凹凸領域を有しており、
前記非凹凸領域は、前記吸収体の非肌当接面側に巻き下げられており、前記吸収性本体の長手方向両側部における非肌当接面を形成している前記＜１＞ないし＜２２＞のいずれか１に記載の使い捨ておむつ。
＜２４＞
前記凹凸領域は、それぞれ長手方向に沿って延びる凸部と凹部とが、幅方向に交互に配置された畝溝構造になっている前記＜１＞ないし＜２３＞のいずれか１に記載の使い捨ておむつ。
＜２５＞
前記防漏カフは、防漏カフ形成用シートと、該防漏カフの上側縁部近傍に伸長状態で固定された防漏カフ起立用の弾性部材と、該防漏カフの上側縁部と起立基端との中間部に伸長状態で固定された中間部弾性部材とを備えている前記＜１＞ないし＜２４＞のいずれか１に記載の使い捨ておむつ。
＜２６＞
１つの前記防漏カフにつき、３つの前記接合部が形成されており、
各接合部はいずれも、おむつ長手方向に沿って延びる細長い矩形状をしており、
幅方向の最も外方に位置する接合部と幅方向の中央に位置する接合部との間に第１非接合部が形成されており、
幅方向の中央に位置する接合部と、幅方向の最も内方に位置する接合部との間に第２非接合部が形成されており、
３つの前記接合部は、おむつ長手方向の相対的に端部寄りの第１端部の位置が、おむつ長手方向において一致しており、
３つの前記接合部は、おむつ長手方向の相対的に股下部寄りの第２端部の位置が、おむつ長手方向において異なっている前記＜１＞ないし＜２５＞のいずれか１に記載の使い捨ておむつ。
＜２７＞
１つの前記防漏カフにつき、３つの前記接合部が形成されており、
各接合部はいずれも、おむつ長手方向に沿って延びる細長い矩形状をしており、
おむつ幅方向の外方から内方に向けて、幅方向の最も外方に位置する接合部と、幅方向の中央に位置する接合部と、幅方向の最も内方に位置する接合部との長さが、この順で漸次長くなっている前記＜１＞ないし＜２６＞のいずれか１に記載の使い捨ておむつ。
＜２８＞
前記防漏カフの前記接合部は、おむつ幅方向の外方寄りに下底を有し、おむつ幅方向の内方寄りに上底を有する台形の形状を有しており、
台形の形状を有する前記接合部においては、台形の２つの脚のうち、おむつ長手方向の端部寄りの脚が、おむつ幅方向と平行に延びているとともに、おむつ長手方向の股下部寄りの脚が、おむつ幅方向に対して傾斜している前記＜１＞ないし＜２７＞のいずれか１に記載の使い捨ておむつ。
【符号の説明】
【００６９】
１  パンツ型使い捨ておむつ
２  表面シート
２ａ  凹凸領域
２ｂ  非凹凸領域
２１  凸部
２２  上層シート
２２ａ  凹部
２３  下層シート
３  防漏シート
４  吸収体
４０  吸収性コア
４１  コアラップシート
５  吸収性本体
６  防漏カフ
６ａ  上側縁部
６ｂ  起立基端
６０  防漏カフ形成用シート
６３  内側接合部
６４  外側接合部
６５  非接合領域
７  ウエスト開口部
８  レッグ開口部
１０  外装体
１１ａ  延出部（被覆シート）
１１１ａ  端部域
１１１ｅ  端縁
１３  胴回りギャザー（ギャザー）
１３ｅ  内側伸縮部
【図１】
0006442263.tif 000002
【図２】
0006442263.tif 000003
【図３】
0006442263.tif 000004
【図４】
0006442263.tif 000005
【図５】
0006442263.tif 000006
【図６】
0006442263.tif 000007
【図７】
0006442263.tif 000008
【図８】
0006442263.tif 000009
【図９】
0006442263.tif 000010
【図１０】
0006442263.tif 000011